(57)【要約】【課題】  磁気ヘッドのテープ摺動面に対するクリアステイン（シリコン酸化膜）の付着を防止して、スペーシングロスによる出力レベルの低下を抑制する。【解決手段】  回転ドラム１３上の磁気テープ１７に対して、磁気ヘッド（ＭＲヘッド）１６よりも高い電位を付与する電位付与回路４９を設ける。この構成により、磁気テープ１７と磁気ヘッド１６との間に電界を形成して、磁気ヘッド１６のテープ摺動面側において大気中の水素イオン濃度を高め、環境中の低分子シロキサンに起因するシラノール基の活性化及び縮合反応を抑止し、磁気ヘッド１６のテープ摺動面３０に対するシリコン酸化膜の付着を防止する。【選択図】        図６
2005092968.tif 000002
【特許請求の範囲】
【請求項１】
磁気テープに摺接して信号の記録及び／又は再生を行う磁気ヘッドと、この磁気ヘッドを搭載した回転ドラムと、この回転ドラムの外周面に沿って磁気テープを走行させるテープ走行手段とを備えた磁気記録再生装置において、
前記回転ドラム上の磁気テープに対して、前記磁気ヘッドよりも高い電位を付与する電位付与手段を備えた
ことを特徴とする磁気記録再生装置。
【請求項２】
前記電位付与手段は、前記回転ドラムと前記磁気ヘッドとの間に電位差を形成する回路を含んでなる
ことを特徴とする請求項１に記載の磁気記録再生装置。
【請求項３】
前記磁気ヘッドは接地電位に接続されている
ことを特徴とする請求項２に記載の磁気記録再生装置。
【請求項４】
前記磁気ヘッドは磁気抵抗効果型磁気ヘッドでなり、その磁気シールド層が前記接地電位に接続されている
ことを特徴とする請求項３に記載の磁気記録再生装置。
【請求項５】
前記磁気ヘッドはインダクティブ型磁気ヘッドでなり、その磁気コアが前記接地電位に接続されている
ことを特徴とする請求項３に記載の磁気記録再生装置。
【請求項６】
磁気テープに磁気ヘッドを摺接させて磁気信号の記録及び／又は再生を行う磁気記録再生方法において、
前記磁気テープを前記磁気ヘッドよりも高電位に維持した状態で、前記磁気信号の記録及び／又は再生を行うようにした
ことを特徴とする磁気記録再生方法。
【発明の詳細な説明】
【技術分野】
【０００１】
本発明は、磁気テープに摺接して信号の記録／再生を行う磁気記録再生装置および磁気記録再生方法に関し、更に詳しくは、磁気ヘッドのテープ摺動面へのシリコン酸化物の付着を防止してスペーシングロスの低減を図ることができる磁気記録再生装置および磁気記録再生方法に関する。
【背景技術】
【０００２】
磁気テープを記録媒体として用いる磁気記録再生装置としては、ビデオテープレコーダ、オーディオテープレコーダ及びコンピュータ用データストレージシステム等が知られており、これら磁気記録再生装置では、記録密度を上げて大容量化を図ることが望まれている。
【０００３】
磁気テープとしては、塗布型と薄膜型のものが知られている。塗布型の磁気テープは、磁性粉末、有機バインダおよび各種添加剤等を有機溶剤に分散、混練して調整される磁性塗料を、非磁性支持体上に塗布、乾燥、硬化することにより形成される磁気記録層を用いるものである。また、薄膜型の磁気テープは、Ｃｏ等の金属系磁性薄膜を蒸着、スパッタリングあるいはめっき等の手法により、非磁性支持体上に形成するものである。
【０００４】
これらの各種磁気記録再生装置においては、近年益々小型軽量化、高画質化、長時間化あるいはディジタル記録化等が進展し、磁気記録媒体に対しても高密度記録化が強く要望されるようになっている。この要望に応えるため、磁気特性の向上とともに、磁気記録層表面の平滑性を向上させ、記録再生時における磁気ヘッドとのスペーシングロスを極力低減する方法が採用されている。
【０００５】
磁気テープ表面の平滑性が向上し鏡面状態となると、磁気ヘッドとの実質的な接触面積が増大する結果、ブラウンステインと称される磁気ヘッドトラック面の焼き付き現象、あるいは磁気ヘッドトラック面における異物の付着等を原因とするヘッドクロギングが発生する場合がある。ヘッドクロギングは、磁気テープからの離脱物が磁気ヘッドのギャップ近傍周縁の磁性金属面部分に蓄積して厚みを増し、スペーシングとなって記録再生出力のレベルダウンに至る。これを回避するため、従来では、磁気テープの磁気記録層に潤滑剤を内添したりトップコートしたりして、磁気ヘッドと磁気テープとの間の摺動抵抗を低減することが行われている。
【０００６】
ここで、下記特許文献１には、磁気ヘッドの摺動面に発生するブラウンステインの付着等を抑制するために、末端に水酸基を持つパーフルオロポリエーテルと長鎖炭化水素カルボン酸とのエステル化合物を有機溶媒に溶解した保護被膜形成液を、ヘッドチップに塗布した磁気ヘッドの構成が開示されている。
【０００７】
また、下記特許文献２には、磁気ヘッドの摺動面に対するステインの付着等を抑制するために、磁気ヘッドを回転ドラムに搭載する際、下部磁気シールド層及び上部磁気シールド層のうち、磁気テープを摺動させたときに摺動面に対して付着物が付着しやすい磁気シールド層の方が、磁気テープが挿入する側となるように配置する構成が開示されている。
【０００８】
なお、下記特許文献３には、長時間のヘッドシークおよび回転停止後に、磁気ヘッド装置がハードディスクに吸着されるフライスティクションの現象発生を防止するために、アルコキシシラノ基を有するパーフルオロポリエーテル化合物を含む被膜を、磁気ヘッドおよびスライダの摺動面に形成する構成が開示されている。
【０００９】
【特許文献１】特開平１０−１１６４０６号公報
【特許文献２】特開２００１−１６０２０５号公報
【特許文献３】特開平１１−１２６３１９号公報
【発明の開示】
【発明が解決しようとする課題】
【００１０】
ところが、これら各種磁気記録再生装置においては、上記ブラウンステインとは異なる他の種類の異物が磁気ヘッドのテープ摺動面に付着し、スペーシングの増大により記録再生出力レベルを低下させるという問題がある。この異物は、シリコン酸化物でなるほぼ透明な無機膜である。この付着物を上述のブラウンステインと区別するべく、以下、クリアステインと称することにする。
【００１１】
クリアステインは、磁気ヘッドのテープ摺動面を構成する金属面と環境中の低分子シロキサンとが脱水縮合反応して生成され、ヘッド表面に付着、堆積したものであり、磁気テープとの摺動作用によっては除去できないほどの強固な付着膜である。低分子シロキサンは揮発性が高く環境中に広く存在しており、磁気テープを構成する非磁性支持体の製造時に混入したり、磁気テープ製造時にその表面に付着したりする。
【００１２】
シロキサンとはシロキサン結合（Ｓｉ−Ｏ−Ｓｉ）を骨格とする樹脂の総称であり、図８に示すように、そのアルコキシル基（Ｓｉ−ＯＲ）が水と反応して活性なシラノール基（Ｓｉ−ＯＨ）を生成する（図８（ａ），（ｂ））。この反応は、磁気テープと磁気ヘッドとの間の摺動熱により促進される。そして、生成したシラノール基どうしが部分的に縮合して架橋構造を形成し（図８（ｃ））、表面に水酸基（ＯＨ基）を有する磁気ヘッドのテープ摺動面（金属面）に水素結合的に吸着する（図８（ｄ））。その結果、シラノール基とテープ摺動面の水酸基との間の脱水縮合反応を経て強固に化学結合し、テープ摺動面にシリコン酸化物系の付着膜が生成される（図８（ｅ））。
【００１３】
以上のようにして、クリアステイン（シリコン酸化膜）が磁気ヘッドのテープ摺動面に数ｎｍ〜数１０ｎｍの厚さに堆積する。これにより、スペーシングロスが大きくなり、記録再生出力レベルの低下が顕著となって、高記録密度化の進展に大きな障害をもたらしている。
【００１４】
本発明は上述の問題に鑑みてなされ、テープ摺動面に対するクリアステイン（シリコン酸化膜）の付着を防止して、スペーシングロスによる出力レベルの低下を抑制できる磁気記録再生装置および磁気記録再生方法を提供することを課題とする。
【課題を解決するための手段】
【００１５】
以上の課題を解決するに当たり、本発明の磁気記録再生装置は、回転ドラム上の磁気テープに対して、磁気ヘッドよりも高い電位を付与する電位付与手段を備えたことを特徴とするものである。
【００１６】
また、本発明の磁気記録再生方法は、磁気テープを磁気ヘッドよりも高電位に維持した状態で、磁気信号の記録及び／又は再生を行うようにしたことを特徴としている。
【００１７】
本発明では、回転ドラム上の磁気テープに対して磁気ヘッドよりも高い電位を付与することによって、磁気テープ側から磁気ヘッド側へ向かう電界を形成し、磁気テープと磁気ヘッドとの間に存在する空気中の水分子を構成する水素イオン濃度を磁気ヘッド側で高くする。そして、環境中の低分子シロキサンは、テープ摺動熱を背景に加水分解が促進されてシラノール基を生成するものの、水素イオン濃度の高い磁気ヘッド側においては当該シラノール基のイオン化（活性化）が抑止され、縮合反応によるシラノール基同士の架橋が阻害される。これにより、シラノール基と磁気ヘッド表面との結合を抑制し、ヘッド表面におけるシリコン酸化膜（クリアステイン）の生成を防ぐようにしている。
【００１８】
すなわち、本発明は、磁気テープに対して磁気ヘッドよりも高い電位を付与する電位付与手段によって磁気ヘッド表面（テープ摺動面）のｐＨを制御し、シラノール基の活性化による縮合を抑止して磁気ヘッドのテープ摺動面に対するクリアステインの付着防止を図るようにしている。
【００１９】
電位付与手段としては、回転ドラムと磁気ヘッドとの間に電位差を形成する回路を含む構成とすることができる。回転ドラムは導電性であるので、これに摺接する磁気テープに対して回転ドラムと同等な電位を付与することができる。
【００２０】
この場合、磁気ヘッドは接地電位に接続されるのが好ましい。これにより、磁気テープ−磁気ヘッド間において安定して電界を付与することができる。
【発明の効果】
【００２１】
以上、本発明によれば、テープ摺動面におけるクリアステイン（シリコン酸化膜）の付着を防止することができるので、スペーシングロスによる出力レベルの低下を抑制することができると共に、高記録密度化に対応することができるようになる。
【発明を実施するための最良の形態】
【００２２】
以下、本発明の実施の形態について図面を参照して説明する。
【００２３】
図１は本発明の実施の形態による磁気記録再生装置１０の概略構成図であり、図２は磁気記録再生装置１０を構成する回転ドラム装置１１の一構成例を示す斜視図である。
【００２４】
図２に示すように、回転ドラム装置１１は、円筒状の固定ドラム１２と、円筒状の回転ドラム１３と、回転ドラム１３を回転駆動するモータ１４と、回転ドラム１３に搭載された一対のインダクティブ型磁気ヘッド１５ａ，１５ｂと、回転ドラム１３に搭載された一対の磁気抵抗効果型磁気ヘッド（以下「ＭＲヘッド」という。）１６ａ，１６ｂとを備えている。
【００２５】
固定ドラム１２は、回転することなく保持されるドラムである。この固定ドラム１２の側面には、磁気テープ１７の走行方向に沿ってリードガイド部１８が形成されている。後述するように、記録再生時に磁気テープ１７は、このリードガイド部１８に沿って走行する。そして、この固定ドラム１２と中心軸が一致するように、回転ドラム１３が配置されている。
【００２６】
回転ドラム１３は、磁気テープ１７に対する記録再生時に、モータ１４によって所定の回転速度で回転駆動されるドラムである。この回転ドラム１３は、固定ドラム１２と略同径の円筒状に形成されている。そして、この回転ドラム１３の固定ドラム１２に対向する側には、一対のインダクティブ型磁気ヘッド１５ａ，１５ｂ及び一対のＭＲヘッド１６ａ，１６ｂが搭載されている。
【００２７】
磁気テープ１７は、非磁性支持体上に磁性層として、例えばＣｏ−Ｏ系の金属磁性薄膜を形成してなるものであり、磁性層である金属磁性薄膜の厚さ、残留磁化量をＭＲヘッド１６ａ，１６ｂの再生特性に合わせて最適化したものが用いられている。
【００２８】
インダクティブ型磁気ヘッド１５ａ，１５ｂは、一対の磁気コアが磁気ギャップを介して接合されてなる記録用磁気ヘッドであり、磁気テープ１７に対して信号を記録する際に使用される。そして、これらのインダクティブ型磁気ヘッド１５ａ，１５ｂは、回転ドラム１３の中心に対して互いに成す角度が１８０°となり、それらの磁気ギャップ部分が回転ドラム１３の外周から突き出すように、回転ドラム１３に搭載されている。
【００２９】
一方、ＭＲヘッド１６ａ，１６ｂは、後述するように、磁気テープ１７からの信号を検出する感磁素子として磁気抵抗効果素子（以下「ＭＲ素子」という。）を備えた再生用磁気ヘッドであり、磁気テープ１７から信号を再生する際に使用される。そして、これらのＭＲヘッド１６ａ，１６ｂは、回転ドラム１３の中心に対して互いに成す角度が１８０°となり、磁気ギャップ部分が回転ドラム１３の外周から突き出すように、回転ドラム１３に搭載されている。
【００３０】
そして、磁気記録再生装置１０は、このような回転ドラム装置１１に磁気テープ１７を摺動させて、磁気テープ１７に対する信号の記録や、磁気テープ１７からの信号の再生を行う。
【００３１】
図１に示すように、磁気テープ１７は、記録再生時に供給リール２１からガイドローラ２２，２３を経て、回転ドラム装置１１に巻き付くように送られ、この回転ドラム装置１１で記録再生がなされる。そして、回転ドラム装置１１で記録再生がなされた磁気テープ１７は、ガイドローラ２４，２５、キャプスタン２６、ガイドローラ２７を経て、巻取リール２８へと送られる。すなわち、磁気テープ１７は、キャプスタンモータ２９により回転駆動されるキャプスタン２６によって所定の張力及び速度にて送られ、ガイドローラ２７を経て巻取リール２８に巻き取られる。
【００３２】
なお、ガイドローラ２２〜２５，２７、キャプスタン２６、キャプスタンモータ２９、供給リール２１及び巻取リール２８を回転駆動する図示しないリール駆動軸により、本発明の「テープ走行手段」が構成されている。
【００３３】
さて、このとき回転ドラム１３は、図２中の矢印Ａに示すように、モータ１４によって回転駆動される。一方、磁気テープ１７は、固定ドラム１２のリードガイド部１８に沿って、固定ドラム１２及び回転ドラム１３に対して斜めに摺動するように送られる。すなわち、磁気テープ１７は、テープ走行方向に沿って、図２中矢印Ｂに示すようにテープ入口側から固定ドラム１２及び回転ドラム１３に摺接するようにリードガイド部１８に沿って送られ、その後、図２中矢印Ｃに示すようにテープ出口側へと送られる。
【００３４】
次に、ＭＲヘッド１６ａ，１６ｂの構成について説明するが、これらは互いに同一の構成を有するため、以下の説明では、ＭＲヘッド１６はＭＲヘッド１６ａ，１６ｂを指すものとする。図３はＭＲヘッド１６の斜視図、図４はＭＲヘッド１６の要部断面図である。
【００３５】
ＭＲヘッド１６は、図３に示すように、硬質材料が板状に成形されてなる第１及び第２の基板３１，３２を備え、これら第１の基板３１と第２の基板３２とが、互いの側面部同士を突き合わせるように接合一体化され、これら第１の基板３１と第２の基板３２との接合面間に、磁気テープからの信号磁界を検出するための感磁部３３が配設された構造となっている。
【００３６】
このＭＲヘッド１６では、接合一体化された第１及び第２の基板３１，３２の上部端面が所定の曲率を有する円弧状に成形されて、磁気テープと摺接するテープ摺動面３０とされている。
【００３７】
感磁部３３は、図４に示すように、上下一対の磁気シールド層３５，３６と、これら上下一対の磁気シールド層３５，３６間に設けられたシールド間ギャップ３７と、このシールド間ギャップ３７中に設けられたフラックスガイド素子３８及びＭＲ素子３９とを有している。
【００３８】
下部磁気シールド層３５と上部磁気シールド層３６は、例えば、Ｎｉ−Ｆｅ系合金（パーマロイ）やＦｅ−Ｓｉ−Ａｌ系合金（センダスト）等の軟磁性材料で構成されている。これら下部磁気シールド層３５と上部磁気シールド層３６は、磁気テープからの信号磁界以外の外乱磁界を遮断する機能を有している。
【００３９】
シールド間ギャップ３７は、例えば、Ａｌ2Ｏ3等の非磁性非導電性材料が下部磁気シールド層３５上に成膜されてなるものであり、下部磁気シールド層３５上に成膜された第１のギャップ膜３７ａと、この第１のギャップ膜３７ａ上に成膜された第２のギャップ膜３７ｂと、この第２のギャップ膜３７ｂ上に成膜された第３のギャップ膜３７ｃとから構成されている。そして、第１のギャップ膜３７ａ上に、第２のギャップ膜３７ｂに覆われるようにしてＭＲ素子３９が形成され、第２のギャップ膜３７ｂ上に、第３のギャップ膜３７ｃに覆われるようにしてフラックスガイド素子３８が形成されている。
【００４０】
フラックスガイド素子３８は、磁気テープからの信号磁界を吸収して、吸収した信号磁界をＭＲ素子３９へと効率良く誘導するためのものであり、例えば、Ｎｉ−Ｆｅ系合金等の軟磁性材料が、シールド間ギャップ３７を構成する第２のギャップ膜３７ｂ上に成膜され、その一端がＭＲヘッド１６のテープ摺動面３０から外部に露出するように所定の形成に成形されてなるものである。なお、フラックスガイド素子３８の幅方向の両端部には、このフラックスガイド素子３８にバイアス磁界を印加するための一対のバイアス層（図示略）がそれぞれ設けられている。
【００４１】
ＭＲ素子３９は、外部磁界の変化に応じて抵抗値が変化するものであり、フラックスガイド素子３８よりも下層側に、テープ摺動面３０から露出しないように設けられている。このようなＭＲ素子３９を有するＭＲヘッド１６は、外部端子３４ａ，３４ｂ（図３）を介してセンス電流が供給されることで、ＭＲ素子３９の信号磁界に応じた抵抗値変化が電圧変化として検出されることになる。
【００４２】
次に、上述した回転ドラム装置１１による記録再生について、この回転ドラム装置１１及びその周辺回路についての回路構成の概略を図５を参照して説明する。
【００４３】
回転ドラム装置１１を用いて磁気テープ１７に信号を記録する際は、先ず、モータ１４の駆動により回転ドラム１３が回転駆動される。そして、回転ドラム１３が回転している状態にて、図５に示すように、外部回路４０からの記録信号が記録用アンプ４１に供給される。
【００４４】
記録用アンプ４１は、外部回路４０からの記録信号を増幅し、一方のインダクティブ型磁気ヘッド１５ａによって信号を記録するタイミングの時、当該インダクティブ型磁気ヘッド１５ａに対応したロータリトランス５０のステータコアの信号伝送用リング５１ａに記録信号を供給する。また、他方のインダクティブ型磁気ヘッド１５ｂによって信号を記録するタイミングの時、当該インダクティブ型磁気ヘッド１５ｂに対応したロータリトランス５０のステータコアの信号伝送用リング５１ｂに記録信号を供給する。
【００４５】
ここで、一対のインダクティブ型磁気ヘッド１５ａ，１５ｂは、上述したように、回転ドラム１３の中心に対して互いに成す角度が１８０°となるように配置されているので、これらのインダクティブ型磁気ヘッド１５ａ，１５ｂは、１８０°の位相差をもって交互に記録することとなる。すなわち、記録用アンプ４１は、一方のインダクティブ型磁気ヘッド１５ａに記録信号を供給するタイミングと、他方のインダクティブ型磁気ヘッド１５ｂに記録信号を供給するタイミングとを、１８０°の位相差をもって交互に切り換える。
【００４６】
そして、一方のインダクティブ型磁気ヘッド１５ａに対応したステータコアの信号伝送用リング５１ａに供給された記録信号は、非接触にてロータリトランス５０のロータコアの信号伝送用リング５２ａに伝送される。そして、信号伝送用リング５２ａに供給された記録信号は、インダクティブ型磁気ヘッド１５ａに供給され、当該インダクティブ型磁気ヘッド１５ａにより、磁気テープ１７に対して信号の記録がなされる。
【００４７】
同様に、他方のインダクティブ型磁気ヘッド１５ｂに対応したステータコアの信号伝送用リング５１ｂに供給された記録信号は、非接触にてロータリトランス５０のロータコアの信号伝送用リング５２ｂに伝送される。そして、信号伝送用リング５２ｂに供給された記録信号は、インダクティブ型磁気ヘッド１５ｂに供給され、当該インダクティブ型磁気ヘッド１５ｂにより、磁気テープ１７に対して信号の記録がなされる。
【００４８】
また、上記回転ドラム装置１１を用いて磁気テープ１７からの信号を再生する際は、先ず、モータ１４の駆動により回転ドラム１３が回転駆動される。そして、回転ドラム１３が回転している状態にて、図５に示すように、オシレータ４２から高周波の電流がパワードライブ４３に供給される。
【００４９】
オシレータ４２からの高周波の電流は、パワードライブ４３によって所定の交流電流に変換された上で、ロータリトランス５０のステータコアの電力伝送用リング５１ｄに供給される。そして、電力伝送用リング５１ｄに供給された交流電流は、整流器４４により整流されて直流電流とされレギュレータ４５に供給され、当該直流電流はレギュレータ４５により所定の電圧に設定される。
【００５０】
そして、レギュレータ４５によって所定の電圧に設定された電流は、一対のＭＲヘッド１６ａ，１６ｂにセンス電流として供給される。なお、一対のＭＲヘッド１６ａ，１６ｂには、当該ＭＲヘッド１６ａ，１６ｂからの信号を検出する再生用アンプ４６が接続されており、レギュレータ４５からの電流は、この再生用アンプ４６にも供給される。
【００５１】
ここで、ＭＲヘッド１６ａ，１６ｂは、外部磁界の大きさによって抵抗値が変化するＭＲ素子を備えている。そして、ＭＲヘッド１６ａ，１６ｂは、磁気テープ１７からの信号磁界により、ＭＲ素子の抵抗値が変化し、これにより、センス電流に電圧変化が現れるようになされている。
【００５２】
そして、再生用アンプ４６はこの電圧変化を検出し、当該電圧変化に応じた信号を再生信号として出力する。なお、再生用アンプ４６は、一方のＭＲヘッド１６ａによって信号を再生するタイミングの時、当該ＭＲヘッド１６ａによって検出した再生信号を出力し、また、他方のＭＲヘッド１６ｂによって信号を再生するタイミングの時、当該ＭＲヘッド１６ｂによって検出した再生信号を出力する。
【００５３】
ここで、一対のＭＲヘッド１６ａ，１６ｂは、上述したように、回転ドラム１３の中心に対して互いに成す角度が１８０°となるように配置されているので、これらのＭＲヘッド１６ａ，１６ｂは、１８０°の位相差をもって交互に再生することとなる。すなわち、再生用アンプ４６は、一方のＭＲヘッド１６ａからの再生信号を出力するタイミングと、他方のＭＲヘッド１６ｂからの再生信号を出力するタイミングとを、１８０°の位相差をもって交互に切り換える。
【００５４】
そして、再生用アンプ４６からの再生信号は、ロータリトランス５０のロータコアの信号伝送用リングう５２ｃに供給され、この再生信号は、非接触にてロータリトランス５０のステータコアの信号伝送用リング５１ｃに伝送される。信号伝送用リング５１ｃに伝送された再生信号は、再生用アンプ４７によって増幅された上で、補正回路４８により所定の補正処理が施された後、外部回路４０へと出力される。
【００５５】
なお、図５に示したような回路構成とした場合、一対のインダクティブ型磁気ヘッド１５ａ，１５ｂ、一対のＭＲヘッド１６ａ，１６ｂ、整流器４４、レギュレータ４５及び再生用アンプ４６は、回転ドラム１３に搭載され、回転ドラム１３と共に回転する。一方、記録用アンプ４１、オシレータ４２、パワードライブ４３、再生用アンプ４７及び補正回路４８については、回転ドラム装置１１の固定部分に配置されるか、あるいは、回転ドラム装置１１とは別に構成された外部回路とされる。
【００５６】
さて、磁気ヘッドが磁気テープの記録面上を摺動するときに発生する摺動熱によって、磁気テープに付着している或いは環境中に存在している低分子シロキサンと大気中の湿気（水分）との間の反応（加水分解）が促進され、活性なシラノールが生成される。このシラノールが、表面に水酸基を持つテープ摺動面の磁性金属面に主として付着、硬化し、強固なシリコン酸化物系の付着膜を構成する。これがクリアステインであり、当該付着膜の堆積によって磁気テープとテープ摺動面との間にスペーシングロスを発生させ、出力の低下をもたらしていた。
【００５７】
そこで、本実施の形態における磁気記録再生装置１０においては、図６に模式的に示すように、回転ドラム１３と、ＭＲヘッド１６の磁気シールド層３５，３６との間に、電位差を形成する電位付与回路４９を備えている。この電位付与回路４９は、レギュレータ４５の出力電位を抵抗器Ｒ１を介して回転ドラム１３に供給すると共に、抵抗器Ｒ２による分圧電位を磁気シールド層３５，３６へ供給する回路である。特に本実施の形態では、磁気シールド層３５，３６を接地電極４９Ｅに接続して電位の安定化を図っている。
【００５８】
電位付与回路４９は以上のように構成されることによって、回転ドラム１３に摺接する磁気テープ１７には、ＭＲヘッド１６よりも高い電位が付与されるようになっている。ここで、電位付与回路４９は、本発明に係る「電位付与手段」に対応する。
【００５９】
磁気テープ１７は、回転ドラム１３を介して、電位付与回路４９により所定の正電位が付与される。一方、ＭＲヘッド１６の磁気シールド層３５，３６は接地電極４６Ｅに接続されている。したがって、ＭＲヘッド１６とこれに対向する磁気テープ１７との間には一定の電界が形成され、磁気テープ１７側がプラス極、ＭＲヘッド１６側がマイナス極を構成することになる。この状態で、磁気テープ１７から磁気信号の再生動作が行われる。
【００６０】
磁気テープ１７とＭＲヘッド１６との間における電界形成により、これら磁気テープ１７とＭＲヘッド１６との間に存在する空気中の水分子を構成する水素イオン濃度がＭＲヘッド１６側で高くなる。そして、環境中の低分子シロキサンは、テープ摺動熱を背景に加水分解が促進されてシラノール基を生成するものの、水素イオン濃度の高いＭＲヘッド側においては当該シラノール基の活性化による縮合が抑制されて、シラノール基の架橋構造の形成が阻害される。
【００６１】
すなわち、図８（ｂ）のシラノール基が図８（ｃ）に示すように縮合反応によりオリゴマー化するには、化学平衡的に、環境中の水素イオン濃度が低いことが条件となる。したがって、ＭＲヘッド１６のテープ摺動面３０においては、上述の電界形成により水素イオン濃度が他の領域よりも高くなるようなｐＨ制御を行うことにより、当該ＭＲヘッド１６近傍における活性なシラノール基を減少させることができる。
【００６２】
なお、ＭＲヘッド１６の表面（テープ摺動面３０）における水素イオンの存在確率を高めるだけで上述の効果を得ることができるので、磁気テープ１７とＭＲヘッド１６との間に形成する電界の強度は僅かなものでよい。
【００６３】
以上のように本実施の形態によれば、ＭＲヘッド１６のテープ摺動面３０、特に、金属面である磁気シールド層３５，３６及びフラックスガイド素子３８におけるシリコン酸化物（クリアステイン）の付着防止を図ることができる。そして、スペーシングロスによる再生出力レベルの低下を抑えることができると共に、磁気テープの高記録密度化にも十分に対応することができるようになる。
【００６４】
一方、インダクティブ型磁気ヘッド１５ａ，１５ｂに対しても、上述した構成の電位付与回路４９を設けることができる。この場合、図７に模式的に示すように、インダクティブ型磁気ヘッド１５ａ（１５ｂ）の磁気ギャップ５４を形成する磁性コア５５に電位付与回路４９の接地電極４９Ｅを接続する構成とする。磁性コア５５はセンダスト、パーマロイ等の軟磁性金属材料で構成されているので、インダクティブ型磁気ヘッド１５ａ（１５ｂ）は磁気テープ１７に対して低電位に維持することができる。この構成により、インダクティブ型磁気ヘッド１５ａ（１５ｂ）のテープ摺動面におけるクリアステイン（シリコン酸化膜）の付着を防止することができる。
【００６５】
以上、本発明の実施の形態について説明したが、勿論、本発明はこれに限定されることなく、本発明の技術的思想に基づいて種々の変形が可能である。
【００６６】
例えば以上の実施の形態では、回転ドラム上の磁気テープに対して、磁気ヘッドよりも高い電位を付与する電位付与手段を図６に示した電位付与回路４９で構成するようにしたが、これに限らない。すなわち、磁気ヘッドよりも高い電位を磁気テープに付与できればよいので、例えば、磁気ヘッドに負電荷を供給する機構（電子シャワー等）を設ける等の構成も適用可能である。
【００６７】
また、以上の実施の形態では、感磁部にフラックスガイド素子を備えたＭＲヘッドを例に挙げて説明したが、これに限らず、当該フラックスガイド素子を具備していない（ＭＲ素子がテープ摺動面に露出するように配置形成された）ＭＲヘッドについても、本発明は適用可能である。
【図面の簡単な説明】
【００６８】
【図１】本発明の実施の形態による磁気記録再生装置１０の概略構成図である。
【図２】磁気記録再生装置１０を構成する回転ドラム装置１１の構成を示す斜視図である。
【図３】ＭＲヘッド１６の構成例を示す斜視図である。
【図４】ＭＲヘッド１６の要部断面図である。
【図５】回転ドラム装置１１及びその周辺回路の構成を示すブロック図である。
【図６】ＭＲヘッド１６側における電位付与回路４９の構成図である。
【図７】インダクティブ型磁気ヘッド側における電位付与回路４９の構成図である。
【図８】低分子シロキサンからシリコン酸化膜（クリアステイン）が形成される原理を説明する模式図である。
【符号の説明】
【００６９】
１０…磁気記録再生装置、１３…回転ドラム、１５ａ，１５ｂ…インダクティブ型磁気ヘッド、１６，１６ａ，１６ｂ…ＭＲヘッド、１７…磁気ヘッド、２６…キャプスタン、２９…キャプスタンモータ、３０…テープ摺動面、３５，３６…磁気シールド層、３９…ＭＲ素子、４９…電位付与回路、５５…磁気コア。
【図１】
2005092968.tif 000003
【図２】
2005092968.tif 000004
【図３】
2005092968.tif 000005
【図４】
2005092968.tif 000006
【図５】
2005092968.tif 000007
【図６】
2005092968.tif 000008
【図７】
2005092968.tif 000009
【図８】
2005092968.tif 000010